(57)【特許請求の範囲】
【請求項１】
ソレノイドで駆動する複数の振り分け部で投入されたコインを各コインチューブ、金庫などに振り分けるとともに、所定のコインが投入されたときこれを一時保留するようソレノイドで駆動する一時保留部を有するコイン振り分け装置において、
前記各振り分け部のソレノイドと前記一時保留部のソレノイドを共通のソレノイド取り付け基板に着脱自在に設置した
ことを特徴とするコイン振り分け装置。
【請求項２】
前記各振り分け部のソレノイドと前記一時保留部のソレノイドとをそれぞれ一つにまとめて別個に配線した
ことを特徴とする請求項１記載のコイン振り分け装置。
【請求項３】
前記ソレノイド取り付け基板は、前記各ソレノイド等の制御素子を搭載する制御基板と横に並んで別個に設けた
ことを特徴とする請求項１又は請求項２記載のコイン振り分け装置。
【発明の詳細な説明】
【０００１】
【発明の属する技術分野】
本発明は、自動販売機等に搭載されたコイン処理装置の部品で、投入されたコインを金種別に振り分けるコイン振り分け装置に関するものである。
【０００２】
【従来の技術】
自動販売機には、投入コインを処理するため、コイン処理装置が搭載されており、このコイン処理装置にはコインを金種毎に振り分けるコイン振り分け装置が設置されている。このコイン振り分け装置の各振り分け部は、投入コインを、偽貨、５０円コイン、１０円コイン、１００円コイン、５００円コインに振り分け、各種コインチューブや金庫に収納したり、或いは、返却口に返却する。
【０００３】
この各振り分け部のタイプとして、回動フラッパを回動させて振り分けるものや、また、上方に向かって二股に分岐させた振り分け片をコイン通路壁の前後に出没させ振り分けるものが知られている（特公平４−４０７５４号公報）。また、出願人は、偽造コイン（偽造５００円コイン）の受け入れを禁止するため、投入された５００円コインを一時保留する一時保留機構を設け、５００円コイン投入後に返却レバーが操作されたときは、一時保留されている投入コインをそのまま返却口に搬出する構造を提案している。
【０００４】
このような振り分け部及び一時保留部の駆動源としてソレノイドを用いており、各ソレノイドを各振り分け部及び一時保留部に連結し、回動フラッパや振り分け片を動作させている。
【０００５】
【発明が解決しようとする課題】
しかしながら、前記従来のコイン振り分け装置では、各ソレノイドを取り付けたソレノイド取り付け基板と、各ソレノイド等を制御する制御素子が搭載された制御基板とが前後に重なって配置されているため、各ソレノイドをメンテナンスする際は、メンテナンス不要な手前側の制御基板を一旦取り外さなければならず、各ソレノイドのメンテナンス作業が面倒なものとなっていた。
【０００６】
また、前記コイン振り分け装置は５００円コインを一時保留する機能を有してるが、場合によっては一時保留部が搭載しない構造のコイン振り分け装置を用いる場合もある。しかしながら、前記コイン振り分け装置のソレノイド取り付け基板が一時保留機能無しの基板に転用できる構造となっていなかったし、また、各振り分け部及び一時保留部の各ソレノイドはその配線がまとめて共通のハーネスで配線されていたため、一時保留部無しのタイプに変更する際、配線変更が非常に面倒な作業となっていた。
【０００７】
本発明の目的は前記従来の課題に鑑み、ソレノイドのメンテナンスが容易で、一時保留部の有無に関わらず共通のソレノイド取り付け基板を使用でき、更には、配線変更も簡単にできるコイン振り分け装置を提供することにある。
【０００８】
【課題を解決するための手段】
本発明は前記課題を解決するため、請求項１の発明は、ソレノイドで駆動する複数の振り分け部で投入されたコインを各コインチューブ、金庫などに振り分けるとともに、所定のコインが投入されたときこれを一時保留するようソレノイドで駆動する一時保留部を有するコイン振り分け装置において、各振り分け部のソレノイドと一時保留部のソレノイドを共通のソレノイド取り付け基板に着脱自在に設置した構造となっている。
【０００９】
請求項１の発明によれば、各振り分け部と一時保留部の両者を有するタイプするか、或いは、一時保留機能が無いタイプにするかは、共通のソレノイド取り付け基板に一時保留用のソレノイドを取り付けるか否かにより決められ、ソレノイドの脱着により両タイプのコイン振り分け装置を構成することができる。
【００１０】
請求項２の発明は、請求項１のコイン振り分け装置において、各振り分け部のソレノイドと一時保留部のソレノイドとをそれぞれ一つにまとめて別個に配線した構造となっているので、一時保留機能を有するタイプから一時保留機能が無いタイプに変更するする際、或いは、逆に変更する際に、配線の区別が容易にでき、配線の変更作業が容易にできる。
【００１１】
請求項３の発明は、請求項１又は請求項２のコイン振り分け装置において、ソレノイド取り付基板は各ソレノイド等の制御素子が搭載する制御基板と横に並んで別個に設けた構造となっているため、ソレノイドをメンテナンスする際に、制御基板を外す必要がない。
【００１２】
【発明の実施の形態】
図１乃至図１２は本発明に係るコイン振り分け装置の一実施形態を示すもので、図１はコイン処理装置のコイン識別部及びコイン振り分け部を示す内部構造図、図２はコイン処理装置のコイン振り分け部及びコイン収納部の構造を示す斜視図、図３の(a)(b)は第２振り分け部の動作を示す断面図、図４の(a)(b)は第６振り分け部及び第７振り分け部の動作を示す断面図、図５は第６振り分け部及び第７振り分け部の正面図、図６は第８振り分け部の振り分け動作を示す断面図、図７はソレノイド取り付け基板及び制御基板を示す背面図、図８はソレノイドの取り付け構造を示す組み付け斜視図、図９はソレノイドの取り付け状態を示す断面図、図１０はソレノイド取り付け基板の設置状態を示す断面図、図１１は一時保留機能を持たないコイン振り分け装置の内部構造図、図１２は一時保留機能を持たないコイン振り分け装置のソレノイド取り付け基板及び制御基板を示す背面図である。
【００１３】
まず、コイン処理装置の概略構成を図１及び図２を参照して説明する。即ち、このコイン処理装置は例えば自動販売機に搭載されており、投入口１から投入されたコイン（１０円コイン、５０円コイン、１００円コイン、５００円コイン）を識別するコイン識別部１０と、コイン識別部１０で識別されたコインを振り分けるコイン振り分け部（コイン振り分け装置）２０と、コイン振り分け部２０で振り分けられたコインを収納するコイン収納部３０とから構成されており、購入商品に対する金銭処理を行っている。
【００１４】
コイン識別部１０は通常所定周波数の信号を投入コインに発信し、その受信周波数の変化に基づき、正貨、偽貨、更には１０円コイン、５０円コイン、１００円コイン、５００円コインの種別を識別している。
【００１５】
コイン振り分け部２０は、コイン転動の上手側から下手側に向かって、第１〜第８の振り分け部２０１〜２０８を有している。
【００１６】
ここで、第１振り分け部２０１は、回動フラッパ２０１ａをソレノイドＳＣ１で回動し、偽貨を図示しない返却口に返却する一方、正貨を第２振り分け部２０２に向かって落下する。このように、第１振り分け部２０１は投入コインの真偽に基づき振り分ける機能を有している。
【００１７】
第２振り分け部２０２は、図３の(a)(b)にも示すように、第１振り分け部２０１で正貨を判定されたコインを１００円コインとそれ以外の１０円コイン、５０円コイン及び５００円コインに振り分けるものである。この第２振り分け部２０２は二股に分岐した前後の振り分け片２０２ａ，２０２ｂを有し、これをソレノイドＳＣ２でコイン通路壁Ａから出没させている。このソレノイドＳＣ２が非励磁（ＯＦＦ）のときは、図３の(a)に示すように、１０円コイン、５０円コイン及び５００円コインを後方の振り分け片２０２ｂに転動させて第３振り分け部２０３に向かって案内する。一方、励磁状態（ＯＮ）のときは図３の(b)に示すように、第２振り分け部２０２を後方に向かって引き、これにより、１００円コインを前方の振り分け片２０２ａに落下させて第４振り分け部２０４に向かって案内している。
【００１８】
第３振り分け部は２０３は、第２振り分け部２０２で振り分けられた１０円コイン及び５０円コインと５００円コインに振り分けるものである。この第３振り分け部２０３はその回動フラッパ２０３ａを回動し、５００円コインをその内側に導入する一方、１０円及び５０円を後述する第７振り分け部２０７に向かって落下させている。
【００１９】
この第３振り分け部２０３には５００円コインをその先端で一時保留する第１の一時保留部２００ａを有し、また、この第３振り分け部２０３の近傍にはコイン通路壁Ａから出没する第２の一時保留部２００ｂを有している。この第１の一時保留部２００ａは回動フラッパ２０３ａから延びるアームにより構成され、回動フラッパ２０３ａを回動させてアームの先端を通路壁Ａの内部に挿入することにより、図１の２点鎖線に示すように、投入された１枚目の５００円コインを保留できる。また、第２の一時保留部２００ｂは、突起で形成され、突起をコイン通路壁Ａから前面側に突出することにより、投入された２枚目の５００円コインを保留するもので、後述するソレノイドＳＣ４により駆動される。なお、この各保留部２００ａ，２００ｂは商品の購入信号が入力されたとき、この保留が解除され、後述する第５振り分け部２０５側に案内される。
【００２０】
第４振り分け部２０４はその回動フラッパ２０４ａをソレノイドＳＣ４で回動し、１００円コインを金庫通路Ｂ（回動フラッパ２０４ａの裏側）に導き図示しない金庫に導入する一方、１００円コインを回動フラッパ２０４ａの表面側に転動させ、後述する第６振り分け部に向かって落下させるようになっている。
【００２１】
第５振り分け部２０５は、第３振り分け部２０３及び各一時保留部２００ａ，２００ｂを通って転動した５００円コインを、返却口（図示しない）に連通する返却通路Ｃとコイン収納部（金庫通路Ｂ及び５００円用のコインチューブＣＴ５００）に振り分けるもので、ソレノイドＳＣ５により回動フラッパ２０５ａを回動し、振り分ける。
【００２２】
第６振り分け部２０６、第７振り分け部２０７及び第８振り分け部２０８は、ソレノイドＳＣ６により制御されるもので、このソレノイドＳＣ６に連結する連結板２０９に一体に形成されている。この第６振り分け部２０６及び第７振り分け部２０７を図４の(a)(b)及び図５の(a)(b)を参照して説明する。第６振り分け部２０６は振り分け片２０６ａ，２０６ｂを有し、第４振り分け部２０４で振り分けられた１００円コインを１００円用のコインチューブＣＴ１００と空きチューブＣＴ０に振り分けるものである。一方、第７振り分け部２０７は振り分け片２０７ａ，２０７ｂを有し、第３振り分け部２０３で振り分けられた１０円・５０円コインを、１０円用のコインチューブＣＴ１０と５０円用のコインチューブＣＴ５０に振り分けるものである。この振り分け動作はソレノイドＳＣ６の励磁・非励磁によって連結板２０９を前後に吸引し、図４の(a)(b)及び図５の(a)(b)に示すように振り分ける。
【００２３】
第８振り分け部２０８は、５００円コインを金庫通路Ｂ又はコインチューブＣＴ５００に振り分けるもので、図２に示すように、連結板２０９の一端に棒状に形成されている。この第８振り分け部２０８は図６の(a)(b)に示すように断面略三角形状に形成され、ソレノイドＳＣ６により前後に移動し、金庫通路Ｂ或いはコインチューブＣＴ５００に振り分ける。
【００２４】
以上のように本実施形態に係る第１〜第８振り分け部２０１〜２０８は６個のソレノイドＳＣ１〜ＳＣ６で駆動されるが、図７及び図８に示すように、各ソレノイドＳＣ１〜ＳＣ６はソレノイド取り付け基板２１に取り付けられている。このソレノイド取り付け基板２１にはソレノイド装着用の貫通孔２１１とこれを間にして一対の係止孔２１２が各ソレノイドＳＣ１〜ＳＣ６に対応するよう形成されている。一方、ソレノイドケーシング２２１の下端には、図９及び図１０に示すように、同じく一対の係止片２２２が突設している。
【００２５】
各ソレノイドＳＣ１〜ＳＣ６をソレノイド取り付け基板２１に固定する際は、各ソレノイドＳＣ１〜ＳＣ６の係止片２２２を係止孔２１２に係止する一方、励磁コイル２２３内に配置されたプランジャ２２４を貫通孔２１１に挿入する。この挿入されたプランジャ２２４の先端を復帰用バネ２２５を介装して各振り分け部に連結する。これにより、各ソレノイドＳＣ１〜ＳＣ６がソレノイド取り付け基板２１に取り付けられる。
【００２６】
また、ソレノイド取り付け基板２１にはその周縁の所定箇所（図８では３箇所）に方形状の切欠部２１３を形成している。また、装置本体基板２３には、図８及び図１０に示すように、上方に突設した引っ掛け片２３１を各切欠部２１３と対向するよう形成するとともに、同じく上方に突設したスペーサ突起２３２をソレノイド取り付け基板２１の裏面と対向するよう形成している。
【００２７】
このソレノイド取り付け基板２１を装置本体基板２３に設置する際は、ソレノイド取り付け基板２１を装置本体基板２３と対向するよう配置し、各切欠部２１３に各引っ掛け片２３１を引っ掛ける。これにより、ソレノイド取り付け基板２１がスペーサ突起２３２の間隔をおいて装置本体基板２３に固定される。
【００２８】
また、ソレノイドＳＣ１〜ＳＣ６のうち、ソレノイドＳＣ１，ＳＣ２，ＳＣ４，ＳＣ６の配線は一つにまとまって一方のコネクタ２４１接続され、また、ソレノイドＳＣ３，ＳＣ５の配線はこれまた一つにまとまって他方のコネクタ２４２に接続されている。
【００２９】
更に、ソレノイド取り付け基板２１は制御基板２５に横並びに並設されている。この制御基板２５には各ソレノイドＳＣ１〜ＳＣ６を制御する制御素子やコイン識別部１０を制御するの制御素子が搭載されている。
【００３０】
本実施形態に係るコイン振り分け装置は以上のように構成され、ソレノイド取り付け基板２１と、各ソレノイドＳＣ１〜ＳＣ６等を制御する制御基板２５とが横並びに並設されているため、ソレノイドＳＣ１〜ＳＣ６をメンテナンスする際、従来の如く制御基板２５を予め取り外すといった作業が不要となっているし、また、引っ掛け片２３１を切欠部２１から外すことにより、ソレノイド取り付け基板２１を簡単に外すことができ、各ソレノイドＳＣ１〜ＳＣ６を容易に交換等することができる。
【００３１】
また、図１１及び図１２には一時保留機能を持たないコイン振り分け装置を示しているが、一時保留機能を不要とするときは、ソレノイドＳＣ３に代えてソレノイドＳＣ４により第３振り分け部２０３を駆動することにより、図１１及び図１２に示すように、ソレノイドＳＣ３，ＳＣ５が不要となる。そこで、一時保留機能を有するコイン振り分け装置から一時保留機能を持たないコイン振り分け装置に変更する際は、図１２に示すように、ソレノイドＳＣ３，ＳＣ５及びその配線を取り外せば良く、また、この取り外し作業の際に、各ソレノイドＳＣ３，ＳＣ５の配線が一つにまとまって他方のコネクタ２４２に接続されているため、配線を間違うことなく簡単に取り外すことができる。なお、図１１及び図１２において、図１〜図１０に示す構造と同一構成となっているところは、同一符号で示している。
【００３２】
このように、ソレノイド取り付け基板２１が、一時保留機能を有するコイン振り分け装置と一時保留機構を持たないコイン振り分け装置に共用となっているため、ソレノイド取り付け基板２１を成形する際、成形型が１個ですみ、成形コストも割安となる。
【００３３】
【発明の効果】
以上説明したように、請求項１の発明によれば、各振り分け部と一時保留部の両者を有するタイプにするか、或いは、一時保留機能が無いタイプにするかは、共通のソレノイド取り付け基板に一時保留用のソレノイドを取り付けるか否かにより決められ、ソレノイドの脱着により両タイプのコイン振り分け装置を簡単に構成することができる。
【００３４】
請求項２の発明によれば、一時保留機能を有するタイプから一時保留機能が無いタイプに変更する際、或いは、逆に変更する際に、配線の区別が容易にでき、配線の変更作業が容易にできる。
【００３５】
請求項３の発明によれば、ソレノイドをメンテナンスする際に、制御基板を外す必要がないため、ソレノイドの交換作業等が簡単になる。
【図面の簡単な説明】
【図１】コイン振り分け装置のコイン識別部及びコイン振り分け部を示す内部構造図
【図２】コイン振り分け装置のコイン振り分け部及びコイン収納部の構造を示す斜視図
【図３】第２振り分け部の動作を示す断面図
【図４】第６振り分け部及び第７振り分け部の動作を示す断面図
【図５】第６振り分け部及び第７振り分け部の正面図
【図６】第８振り分け部の振り分け動作を示す断面図
【図７】ソレノイド取り付け基板及び制御基板を示す背面図
【図８】ソレノイドの取り付け構造を示す組み付け斜視図
【図９】ソレノイドの取り付け状態を示す断面図
【図１０】ソレノイド取り付け基板の設置状態を示す断面図
【図１１】一時保留機能を持たないコイン振り分け装置の内部構造図
【図１２】一時保留機能を持たないコイン振り分け装置のソレノイド取り付け基板及び制御基板を示す背面図
【符号の説明】
１０…コイン識別部、２０…コイン振り分け部、３０…コイン収納部、２００ａ，２００ｂ…一時保留部、２０１〜２０８…各振り分け部、２１…ソレノイド取り付け基板、２３…装置本体基板、２５…制御基板。
【図１】
0004727834.tif 000002
【図２】
0004727834.tif 000003
【図３】
0004727834.tif 000004
【図４】
0004727834.tif 000005
【図５】
0004727834.tif 000006
【図６】
0004727834.tif 000007
【図７】
0004727834.tif 000008
【図８】
0004727834.tif 000009
【図９】
0004727834.tif 000010
【図１０】
0004727834.tif 000011
【図１１】
0004727834.tif 000012
【図１２】
0004727834.tif 000013